(57)【要約】【課題】マイクロホンケース内に収納されるマイクロホンユニットに対する電磁シールドをより確実にする。【解決手段】上面側が開放された金属製の扁平なベース部１０と、ベース部１０の上面側を覆う多数の開口を有する金属製のマイクカバー２０とを含むマイクロホンケース１内に、マイクロホンユニット３０が所定の固定手段によりベース部１０上に固定された状態で収納されているバウンダリーマイクロホンにおいて、マイクロホンケース１内に、マイクロホンユニット３０を覆うように電磁波シールドメッシュ６０を配置するとともに、その端縁を全周にわたってベース部１０とマイクカバー２０との突き合わせ端面間に挟み込ませる。【選択図】図１
2010171752.tif 000002
【特許請求の範囲】
【請求項１】
上面側が開放された金属製の扁平なベース部と、上記ベース部の上面側を覆う多数の開口を有する金属製のマイクカバーとを含むマイクロホンケースを備え、上記マイクロホンケース内に、コンデンサマイクロホンユニットが所定の固定手段により上記ベース部上に固定された状態で収納されているバウンダリーマイクロホンにおいて、
上記マイクロホンケース内に、上記コンデンサマイクロホンユニットを覆うように電磁波シールドメッシュが配置され、上記電磁波シールドメッシュの端縁が、その全周にわたって上記ベース部と上記マイクカバーとの突き合わせ端面間に挟み込まれていることを特徴とするバウンダリーマイクロホン。
【請求項２】
上記ベース部と上記マイクカバーとが雄ネジと雌ネジとの螺合より連結され、上記電磁波シールドメッシュが上記ネジの螺合部分にも入り込んでいることを特徴とする請求項１に記載のバウンダリーマイクロホン。
【請求項３】
上記電磁波シールドメッシュがステンレス材からなることを特徴とする請求項１または２に記載のバウンダリーマイクロホン。
【発明の詳細な説明】
【技術分野】
【０００１】
本発明は、バウンダリーマイクロホンに関し、さらに詳しく言えば、外来電磁波による雑音の発生を防止する技術に関するものである。
【背景技術】
【０００２】
バウンダリーマイクロホン（面状収音式マイクロホン）は、例えばＴＶスタジオや会議室などにおいて、机や床面に設置して使用されることからサーフェイスマウントマイクロホンとも呼ばれており、そのマイクロホンケースとして、特許文献１に記載されているような扁平なマイクロホンケースが用いられる。図３および図４により、その一例を説明する。なお、図３は図４のＤ−Ｄ線に沿った断面図、図４は図３のＣ−Ｃ線に沿った断面図である。
【０００３】
これによると、バウンダリーマイクロホンに用いられるマイクロホンケース１は、基本的に、上面側が開放された金属製の扁平なベース部１０と、その上面を覆うようにしてベース部１０に取り付けられる多数の開口（音波導入孔）を有する金属製のマイクカバー２０の２つの部品で構成される。多くの場合、ベース部１０の底面には、ゴム材からなるクッションパッド１０ａが接着される。
【０００４】
通常、ベース部１０は亜鉛ダイカストなどの鋳造により形成され、マイクカバー２０にはパンチングプレート（多孔板）が用いられる。パンチングプレートに代えて、金網体が用いられることもある。
【０００５】
マイクカバー２０は、ベース部１０に対してネジ止めされるが、多点でネジ止めすると見栄えが損なわれることから、通常は一点止めとしている。
【０００６】
すなわち、マイクカバー２０のほぼ中央にネジ挿通孔２１を穿設するとともに、ベース部１０には相手方となる雌ネジを有するボス１１を立てて、固定用の雄ネジ２２をネジ挿通孔２１からボス１１に螺合して、マイクカバー２０をベース部１０に対して固定するようにしている。
【０００７】
これにより、ベース部１０とマイクカバー２０との間にシールド空間が形成され、その内部にマイクロホンユニット３０と、回路基板４０とが収納される。
【０００８】
バウンダリーマイクロホンにおいて、マイクロホンユニット３０には、金属製のユニットケース３１内に、振動板と固定極とを対向的に配置してなる静電型の音響電気変換器３２と、インピーダンス変換器としてのＦＥＴ（電界効果トランジスタ）３３とを備えるコンデンサマイクロホンユニットが用いられる。
【０００９】
図示しないが、回路基板４０には、音質調整回路や音声信号出力回路などが実装されている。また、回路基板４０にはマイクコード４１が接続される。マイクコード４１はコードブッシュ１２を介してベース部１０から引き出され、図示しないファントム電源などに接続される。
【００１０】
ところで、マイクカバー２０に用いられるパンチングプレートは多数の孔が開けられた例えば鉄板よりなり、所定の形状に切り出されたのちプレスで目的とする形状に加工されるが、多孔板であるためベース部１０と接触する周端面（切断面）２０ａは不斉一でギザギザしている。また、ベース部１０もダイカスト製の場合、その鋳肌面は必ずしも平坦ではない。
【００１１】
そのため、ベース部１０とマイクカバー２０の電気的な接続は多点での点接触となっているが、外来電磁波による影響を考える場合、放送局で使用される通常のＶＨＦ，ＵＨＦ帯などの電磁波による干渉については、上記したベース部１０とマイクカバー２０とによるシールドで十分に対応することができる。
【００１２】
しかしながら、マイクロホンの分野においては、近年の携帯電話機の急速な普及に伴って、携帯電話機から放射される強力な電磁波（例えば、数ｃｍ〜数１０ｃｍ程度の範囲内では商用電波により市中生じている電界強度の数万倍に達する電界強度）による影響が問題となっている。
【００１３】
すなわち、上記したベース部１０とマイクカバー２０とによるシールドでは、その電気的な接触が点接触であり、その部分が高周波に対してインピーダンスを持つため、上記したような強い電磁波に対してはマイクカバー２０がアンテナとして作用し、これが原因で雑音が発生することがある。
【００１４】
この問題を解決するため、本出願人は、特許文献２として、ベース部１０とマイクカバー２０との突き合わせ端面間に、弾性と導電性とを併せ持つ導電布よりなるガスケットを介在させて、マイクロホンケース１のシールドを強化して、特に携帯電話機から放射される電磁波による雑音の発生を防止することを提案している。
【００１５】
特許文献２に記載の発明によれば、ベース部１０とマイクカバー２０との突き合わせ端面間における高周波的なインピーダンスが全周にわたって低く一様であれば有効なシールド作用が得られる。
【００１６】
しかしながら、例えば使用するガスケット（導電布）の材質などにより部分的に高周波的なインピーダンスが高い部分が存在すると、その部分からマイクロホンケース１内に高周波電流が入り込むことがある。
【００１７】
また、ベース部１０とマイクカバー２０との間で電気的な接続が不完全な部分、例えば雄ネジ２２とボス１１とによる一点止め部分からもマイクロホンケース１内に高周波電流が入り込むことがある。そうすると、その高周波電流がＦＥＴ３３で検波されることによって雑音が発生されることがあり得る。
【００１８】
別の問題として、マイクロホンユニット３０は固定バンド５０によりベース部１０に固定されるが、バウンダリーマイクロホンは机や床面に設置されることから、振動を受けやすい。
【００１９】
そのため、振動に起因する雑音発生を防止する対策として、図４に示すように、マイクロホンユニット３０とベース部１０との間と、固定バンド５０とマイクロホンユニット３０との間に、それぞれ振動吸収部材（ダンパー材）として例えばブチルゴム等からなる弾性体５１ａ，５１ｂを介在させるようにしている。
【００２０】
これによると、マイクロホンユニット３０とベース部１０とが電気的に絶縁されることになるため、マイクロホンユニット３０の接地（ユニットケース３１）をリード線３４を介して回路基板４０のグランドに接続する必要がある。
【００２１】
この場合、リード線３４の配線スペースが狭く、また、配線寸法も短いことから、リード線３４にシールド被覆線を用いることができない。
【００２２】
したがって、リード線３４が高周波電流を取り込むアンテナとして動作し、マイクロホンケース１内に高周波電流が入り込んだ場合、その高周波電流がリード線３４を介してＦＥＴ３３に流れ、大きな雑音が発生してしまう、という問題が生ずる。
【先行技術文献】
【特許文献】
【００２３】
【特許文献１】実用新案登録第２５１５８１２号公報
【特許文献２】特開２００５−３３３１８０号公報
【発明の概要】
【発明が解決しようとする課題】
【００２４】
したがって、本発明の課題は、マイクロホンケース内に収納されるマイクロホンユニットに対する電磁シールドをより確実にして、外来電磁波による高周波電流に起因する雑音発生を防止し得るようにしたバウンダリーマイクロホンを提供することにある。
【課題を解決するための手段】
【００２５】
上記課題を解決するため、本発明は、上面側が開放された金属製の扁平なベース部と、上記ベース部の上面側を覆う多数の開口を有する金属製のマイクカバーとを含むマイクロホンケースを備え、上記マイクロホンケース内に、コンデンサマイクロホンユニットが所定の固定手段により上記ベース部上に固定された状態で収納されているバウンダリーマイクロホンにおいて、上記マイクロホンケース内に、上記コンデンサマイクロホンユニットを覆うように電磁波シールドメッシュが配置され、上記電磁波シールドメッシュの端縁が、その全周にわたって上記ベース部と上記マイクカバーとの突き合わせ端面間に挟み込まれていることを特徴としている。
【００２６】
本発明の好ましい態様によれば、上記ベース部と上記マイクカバーとが雄ネジと雌ネジとの螺合より連結され、上記電磁波シールドメッシュが上記ネジの螺合部分にも入り込んでいる。
【００２７】
また、本発明の好ましい態様によれば、上記電磁波シールドメッシュにステンレス材が用いられる。
【発明の効果】
【００２８】
本発明によれば、マイクロホンケース内にコンデンサマイクロホンユニットを覆うように電磁波シールドメッシュを配置するとともに、電磁波シールドメッシュの端縁の全周をベース部とマイクカバーとの突き合わせ端面間に挟み込むようにしたことにより、コンデンサマイクロホンユニットに対して２重の電磁シールドが形成されるため、外来電磁波による高周波電流に起因する雑音発生をより確実に防止することができる。
【００２９】
また、ベース部とマイクカバーとを連結しているネジの螺合部分にも電磁波シールドメッシュを入り込ませることにより、ベース部とマイクカバーとの間で電気的な接続が不完全な部分を極力少なくすることができる。
【００３０】
また、ステンレス材からなる電磁波シールドメッシュは弾性があるため、その端縁をベース部とマイクカバーとの突き合わせ端面間に挟み込むことにより、ベース部とマイクカバーとの電気的な接触を良好にすることができる。
【図面の簡単な説明】
【００３１】
【図１】本発明のバウンダリーマイクロホンを示す断面図（図２のＢ−Ｂ線断面図）。
【図２】本発明のバウンダリーマイクロホンを示す断面図（図１のＡ−Ａ線断面図）。
【図３】従来のバウンダリーマイクロホンを示す断面図（図４のＤ−Ｄ線断面図）。
【図４】従来のバウンダリーマイクロホンを示す断面図（図３のＣ−Ｃ線断面図）。
【発明を実施するための形態】
【００３２】
次に、図１および図２を参照して、本発明の実施形態について説明する。この実施形態の説明において、先の図３，図４により説明した従来例と同一もしくは同一と見なされてよい構成要素には同じ参照符号を付している。
【００３３】
図１および図２に示すように、本発明のバウンダリーマイクロホンにおいても、マイクロホンケース１は、基本的な構成として、上面側が開放された扁平なベース部１０と、その上面を覆うようにして取り付けられる多数の開口（音波導入孔）を有する金属性のマイクカバー２０とを備える。ベース部１０の底面に、ゴム材からなるクッションパッド１０ａが接着されてよい。
【００３４】
ベース部１０は、好ましくは亜鉛ダイカストなどの鋳造により形成されるが、これ以外に金属プレスの成型品が用いられてもよい。また、マイクカバー２０には、通常、パンチングプレート（多孔板）が用いられるが、パンチングプレートに代えて、金網体が用いられてもよい。また、本体を目立たないようにするために黒色等の塗装が施されてもよい。
【００３５】
マイクカバー２０は、ベース部１０に対してネジ止めされるが、多点でネジ止めすると見栄えが損なわれることから、マイクカバー２０のほぼ中央の１個所にネジ挿通孔２１を穿設するとともに、ベース部１０には雌ネジを有するボス１１を立てて、固定用の雄ネジ２２をネジ挿通孔２１からボス１１に螺合し、マイクカバー２０をベース部１０に対して一点止めとすることが好ましい。
【００３６】
これにより、ベース部１０とマイクカバー２０との間にシールド空間が形成され、その内部にマイクロホンユニット３０と、回路基板４０とが収納される。
【００３７】
マイクロホンユニット３０には、上記従来例と同じく、金属製の円筒状をなすユニットケース３１内に、振動板と固定極とを対向的に配置してなる静電型の音響電気変換器３２と、インピーダンス変換器としてのＦＥＴ（電界効果トランジスタ）３３とを備えるコンデンサマイクロホンユニットが用いられる。
【００３８】
この実施形態において、マイクロホンユニット３０は、詳しくは図示されていないが、ユニットケース３１の前端面に前部音響端子を有し、ユニットケース３１の側周面に後部音響端子が設けられている単一指向性マイクロホンユニットである。
【００３９】
図示しないが、回路基板４０には、音質調整回路や音声信号出力回路などが実装されている。また、回路基板４０にはマイクコード４１が接続される。マイクコード４１はコードブッシュ１２を介してベース部１０から引き出され、図示しない例えばファントム電源などに接続される。
【００４０】
マイクロホンユニット３０は、その収音軸をベース部１０と平行として、ベース部１０上に横置き状態で配置され、固定バンド５０により固定される。
【００４１】
その際、防振を目的として、マイクロホンユニット３０とベース部１０との間、マイクロホンユニット３０と固定バンド５０との間のそれぞれに弾性体５１ａ，５１ｂが配置されるが、マイクロホンユニット３０のユニットケース３１をベース部１０に電気的に接続するうえで、弾性体５１ａ，５１ｂに弾性と導電性とを併せ持つ導電布を用いることが好ましい。
【００４２】
また、固定バンド５０は、マイクロホンユニット３０の上に配置され、その両端が雄ネジ５２，５２にてベース部１０に取り付けられるが、マイクロホンユニット３０のユニットケース３１とベース部１０との電気的接続をより高めるうえで、固定バンド５０は金属製であることが好ましい。
【００４３】
本発明によると、マイクロホンケース１内に、マイクロホンユニット３０を覆うように電磁波シールドメッシュ６０が配置される。
【００４４】
電磁波シールドメッシュ６０は、マイクカバー２０と同程度の大きさ（面積）を有し、図１，図２に示すように、その端縁の全周が、ベース部１０とマイクカバー２０との突き合わせ端面間に挟み込まれる。また、電磁波シールドメッシュ６０は、好ましくは一点止めしている雄ネジ２２とボス１１の雌ネジとの間にも挟み込まれる。
【００４５】
電磁波シールドメッシュ６０は、導電性繊維から構成されてもよいが、ステンレス材製であることが好ましい。そのステンレスメッシュの好ましい仕様は、ＳＵＳ３０４，Φ０．１，＃１００を例示できる。
【００４６】
ステンレス材からなる電磁波シールドメッシュ６０は弾性があるため、その端縁をベース部１０とマイクカバー２０との突き合わせ端面間に挟み込むことにより、ベース部１０とマイクカバー２０との電気的な接触をより良好にすることができる。
【００４７】
このように、本発明によれば、ベース部１０とマイクカバー２０との間で電気的な接続が不完全な部分がなくなるため、マイクロホンケース１内に高周波電流が入り込むことはほとんどないが、仮に高周波電流が入り込んだとしても、マイクロホンユニット３０に対して２重の電磁シールドが形成されているため、高周波電流がＦＥＴ３３により検波されるに至らない。
【００４８】
また、マイクロホンユニット３０は、上記従来例と同じく、その接地（ユニットケース３１）がリード線３４を介して回路基板４０のグランドに接続されるが、本発明によれば、マイクロホンユニット３０に対して２重の電磁シールドが形成されているため、リード線３４がアンテナとして動作することがない。
【００４９】
なお、上記実施形態では、マイクロホンユニット３０と回路基板４０は分離して配置されているが、マイクロホンユニット３０は回路基板４０上に搭載されてもよい。
【符号の説明】
【００５０】
１  マイクロホンケース
１０  ベース部
１１  ボス
２０  マイクカバー
２０ａ  端面
２１  ネジ挿通孔
２２  雄ネジ
３０  マイクロホンユニット
３１  ユニットケース
３２  静電型音響電気変換器
３３  インピーダンス変換器（ＦＥＴ）
３４  リード線
４０  回路基板
４１  マイクコード
５０  固定バンド
５１ａ，５１ｂ  弾性体
６０  電磁波シールドメッシュ
【図１】
2010171752.tif 000003
【図２】
2010171752.tif 000004
【図３】
2010171752.tif 000005
【図４】
2010171752.tif 000006